(57)【要約】      （修正有）【課題】工具を使用しないで、ストリッパー板及びパンチの迅速除去及び交換を可能にするパンチ工具アセンブリを提供する。【解決手段】ストリッパー板迅速解除装置はボタンアセンブリとボールベアリングとによりガイドの前端部に沿って軸方向移動するよう装着されたスライドを備える。パンチのための迅速解除装置は、保持ノブ３０と、パンチドライバー２８に設けられた一般に円筒状のボールベアリングホルダー ３６と、ボールベアリングスリーブ３８とを備え、ノブは軸方向にシフト自在であると共にボールベアリング２０２とグルーブとの組み合わせにより着脱自在に固定される。パンチの高さは、ガイド１４とパンチドライバー２８とドライバースリーブ４８とパンチ４６とをユニットとして回転させることにより調整される。【選択図】図１
2008087070.tif 000002
【特許請求の範囲】
【請求項１】
前端部と外側表面と前記前端部の近くで前記外側表面に沿って設けられた軸方向スロットとを有するガイドと、
前記ガイド内に位置するパンチ工具と、
前記ガイドの前記前端部に位置する迅速解除ストリッパー板アセンブリと
を備え、前記ストリッパー板アセンブリは、側縁部と前記側縁部に沿って設けられた円周グルーブとを有するストリッパー板と、前記ガイドの前記スロットに位置すると共に固定位置と非固定位置との間で移動しうるスライドであって、その上部内側表面に設けられた凹部を有するスライドと、前記ガイド内に前記ストリッパー板の前記凹状外側縁部と前記スライドの前記凹部との間に位置すると共に前記グルーブと前記凹部との間で軸方向に移動自在であるボールベアリングとを備えることを特徴とするパンチ工具アセンブリ。
【請求項２】
前記固定位置にて前記スライドを着脱自在に固定する固定手段をさらに備える請求項１に記載のアセンブリ。
【請求項３】
前記スライドがその下部に設けられた開口部を有し、前記ガイドが前記スロットの後部に設けられたキャビティを有し、さらに前記スライドが前記固定位置にある際に前記キャビティ内に位置すると共に前記ガイドから半径方向外方に前記スライドにおける前記開口部を通して延びるバネ負荷ボタンをさらに備える請求項２に記載のアセンブリ。
【請求項４】
前記バネ負荷ボタンが、前記キャビティ内に位置するバネと、前記凹部内に位置すると共に前記バネに接続されたバネボタンストッパと、前記ストッパに接続されたボタンとをさらに備える請求項３に記載のアセンブリ。
【請求項５】
前記スライドが外側フランジ部分を有し、前記ガイドにおける前記スロットが前記スロットに重なる前部分を有し、前記スライドが前記スロットに挿入自在であり、前記スライドの前記フランジ部分が前記スロットの前記前部分によりトラップされる請求項１に記載のアセンブリ。
【請求項６】
前記スライドの前記上部内側表面における前記凹部が変化する深さおよびその下端部における一般に球状の深いポケットを有して、前記スライドが前記非固定位置にある際に前記ボールベアリングを収容する請求項１に記載のアセンブリ。
【請求項７】
前端部と後端部と軸方向に貫通配置された通路とを有するパンチドライバーと、
前記パンチドライバーの前記後端部に接続されたパンチヘッドと、
保持ノブにより前記パンチドライバーの前記前端部に接続されたパンチと
を備え、前記保持ノブは、前記パンチに接続された第１端部と、前記パンチドライバーの前記通路中へ軸方向に延びると共にそこに設けられた環状グルーブを有する第２端部とを備え、
前記パンチドライバーに接続されると共に前記パンチドライバーの前記通路内に位置するボールベアリングホルダーをさらに備えて、前記ホルダーが前記保持ノブの少なくとも一部を包囲するようにし、前記ホルダーは前記ホルダーが固定位置にある際に前記保持ノブの前記環状グルーブに係合する少なくとも１つのボールベアリングを支持し、さらに
前記ボールベアリングホルダーと前記通路を画定する前記パンチドライバーの壁部との間に位置するスリーブを備え、前記スリーブはその内側表面に沿って少なくとも１つの凹状領域を有して前記ホルダーが非固定位置にある際に少なくとも１つの前記ボールベアリングを収容し、
前記ボールベアリングホルダーおよび前記保持ノブは前記スリーブに対し軸線方向に単一ユニットとして移動自在であることを特徴とするパンチ工具アセンブリ。
【請求項８】
前記保持ノブの前記第１端部がネジ山を有し、前記第１端部が前記パンチに設けられたネジ付孔部に螺着収容される請求項７に記載のアセンブリ。
【請求項９】
前記保持ノブが前記第１端部と第２端部との間に延びる長形シャンク部分を有し、前記シャンク部分が前記第１端部近くにフランジをさらに備える請求項７に記載のアセンブリ。
【請求項１０】
前記スリーブは、前記内側表面に設けられた変化する深さの凹部を有する上側部分と、前記パンチドライバーにおける前記通路から前記パンチヘッドに設けられた軸方向孔部中へ外方向に延びる一般に円筒状の底部とをさらに備え、さらに前記スリーブの前記底部に設けられたバネと、前記底部を形成する前記スリーブの各壁部の間に延びると共に前記バネの底部が前記プレートの上側表面と接触するよう位置せしめたプッシュ板と、前記パンチドライバーにおける前記穴部から前記スリーブの前記上側部分が出るのを防止する手段とをさらに備える請求項７に記載のアセンブリ。
【請求項１１】
前記パンチドライバーにおける前記通路が前記パンチドライバーを通して連続的であり、前記パンチドライバーの前記前端部に位置する第１チャンバと、前記パンチドライバーの前記底端部に位置する第２チャンバと、前記第１チャンバを前記第２チャンバに接続する中間チャンバとをさらに備え、前記中間チャンバは、前記第１および第２チャンバおよび前記ボールベアリングホルダーの断面積よりも小さい断面積を有し、前記ボールベアリングホルダーが前記第２チャンバ内に中央位置する請求項７に記載のアセンブリ。
【請求項１２】
パンチに接続しうる第１端部および環状グルーブを有する第２端部を持った保持ノブと、
前記保持ノブの周囲に位置せしめた一般に円筒状のボールベアリングホルダーであって、前記ホルダーは前記保持ノブが固定位置にある際に前記ボールベアリングが前記環状グルーブ内に静止するよう位置せしめた複数ボールベアリングを支持するボールベアリングホルダーと、
前記ホルダーを包囲するスリーブと
を備え、前記スリーブは内側表面と前記内側表面に設けられた環状凹部とを有し、前記凹部は変化する深さと前記保持ノブが非固定位置にある際に前記ボールベアリングが静止する一般に球状の深いポケットを有し、
前記保持ノブおよび前記ホルダーは、ユニットとして一緒に維持されると共に、前記ノブおよび前記ホルダーが前記スリーブ中へ一層深く圧入される際に前記スリーブに対し軸方向に移動することを特徴とするパンチ工具用の迅速解除メカニズム。
【請求項１３】
ガイドと、
前記ガイド内に位置すると共に前パンチ端部と後端部とを有するパンチと、
前記ガイドの頂部に着座すると共に前記パンチの前記前パンチ端部が貫通する開口部を有するストリッパー板と、
前記ストリッパー板を前記ガイドに接続すると共に工具なしに操作しうる第１迅速解除メカニズムと、
前記パンチの前記後端部に着脱自在に接続されたパンチドライバーと、
前記パンチを前記パンチドライバーに着脱自在に接続され、工具なしに操作しうると共に前記パンチおよび前記パンチドライバーが前記ガイドに対し軸方向に移動するよう締め付けられる第２迅速解除メカニズムと、
前記パンチドライバーに螺着接続されたパンチヘッドと
を備え、前記パンチの高さは前記パンチヘッドを前記パンチドライバーと前記パンチと前記ガイドとに対し相対回転させることにより調整しうることを特徴とするパンチ工具アセンブリ。
【請求項１４】
ガイドと、
前記ガイド内に位置するパンチと、
前記パンチに接続された第１端部と前記第１端部に対向する第２端部とを有し、前記第２端部がそこに設けたネジ付孔部を有するパンチドライバーと、
前記パンチドライバーの前記第２端部に調整自在に接続されると共に前記パンチドライバーの前記孔部に挿入しうる雄ネジ付部分を有するパンチヘッドと、
前記パンチヘッドおよび前記パンチドライバーの少なくとも一部を包囲するドライバースリーブと、
前記ドライバースリーブを前記パンチと前記ガイドと前記パンチドライバーとに対し相対回転しないよう固定維持する手段と、
前記パンチドライバーに対し相対回転しないよう前記パンチヘッドを固定する解除自在な手段と
を備え、前記解除自在な手段は、前記パンチヘッドの底部に設けられた軸方向孔部と、前記孔部に位置すると共に外側表面に沿って設けられた凹部を有するバネ負荷ピンと、半径方向移動自在であると共に前記ドライバースリーブおよび前記固定ピンに係合するよう位置せしめたボールベアリングとをさらに含むことを特徴とする調整自在なパンチ工具アセンブリ。
【請求項１５】
前記固定ピンに設けられた前記凹部が変化する深さを有すると共に、前記パンチヘッドが固定される際に前記ボールベアリングが静止する第１部分と、前記パンチヘッドが非固定である際に前記ボールベアリングが静止する第２部分とを備え、前記第２部分が前記第１部分よりも大きい深さを有する請求項１４に記載のアセンブリ。
【請求項１６】
前記ドライバースリーブは、内側表面と、前記ボールベアリングに隣接位置する下端部と、前記ドライバースリーブの前記下端部の周囲に前記内側表面に沿って位置せしめた凹部の円周リングとを有する請求項１４に記載のアセンブリ。
【請求項１７】
貫通して設けた中央穴部を有する底部プレートと、
前記底部プレートから離間すると共に貫通して設けた中央穴部を有する頂部プレートと、
前記プレートが軸方向に移動する際に前記底部プレートにおける前記穴部が前記頂部プレートにおける前記穴部と整列するよう前記プレート間の空間関係を維持する手段と、
前記プレートの前記中央穴部を貫通して延びるプランジャーロッドと
を備えるパンチ工具用のアセンブリジク装置。
【請求項１８】
前記頂部プレートが上側表面を有し、前記上側表面がそこにパンチ工具アセンブリを固定する手段を有する請求項１７に記載の装置。
【請求項１９】
ベースと前記ベースから上方向に延びるプランジャーロッドとを有するアセンブリジグを設け、
ガイドと前記ガイド内に位置するパンチと迅速解除メカニズムにより前記パンチに接続されたパンチドライバーと前記パンチドライバーに接続されたパンチヘッドとを有し、前記パンチヘッドはそこに設けられた軸方向孔部を有するパンチ工具アセンブリを設け、
前記パンチが前記パンチヘッドの上方に位置するようパンチ工具アセンブリを倒置させ、
前記パンチ工具アセンブリを前記ジグ上に設置し、前記設置工程は前記ジグの前記プランジャーロッドを前記パンチヘッドの前記孔部中へ挿入することをさらに含み、
前記パンチ工具アセンブリを前記ジグの前記ベース方向へ押圧して前記パンチを前記パンチドライバーから解除させる
ことを特徴とするパンチ工具アセンブリのパンチの交換方法。
【発明の詳細な説明】
【技術分野】
【０００１】
（発明の分野）
本発明は一般に、調整自在なパンチ高さおよび着脱自在なストリッパー板を有するパンチプレスとパンチとのためのパンチ工具アセンブリに関するものであり、より詳細にはアセンブリをガイドから取り外すことなくパンチ高さを調整および設定する手段と、ストリッパー板迅速解除メカニズムと、パンチ迅速解除メカニズムと迅速交換および容易なパンチの調整を行うアセンブリジクとを有するパンチ工具アセンブリに関する。
【０００２】
（発明の背景）
タレットパンチプレスに使用するためのパンチ工具アセンブリは、典型的には、パンチと、パンチに取り付けられ或いは一体形成されたパンチホルダーと、パンチおよびパンチホルダーを収容するガイドと、ガイドの頂端部に着座させて接続したパンチの先端部を収容する中央開口部を有するストリッパー板と、パンチホルダーに接続されたツーピースパンチドライバーと、パンチドライバーの周囲に配置されると共にガイドの底端部に当接する圧縮自在なバネとを備える。時間と共にパンチ先端部は鈍くなり、鋭利にせねばならない。鋭利化プロセスは、ストリッパー板を解除すると共にパンチとパンチホルダーとできればパンチドライバーとをガイドから取り外すことを必要とする。この種の鋭利化はパンチ高さを減少させ、これによりアセンブリをガイド中へ再挿入する際にパンチ調整を必要とする。鋭利化の他に、ストリッパー板の除去およびパンチの交換も異なるパンチ穴部形状が所望される際に必要とされる。この種の典型的にはレンチ、スクリュードライバー、シムなどの使用を必要とする組立操作は時間がかかり過ぎて面倒である。特殊工具および作業場条件下で容易に操作されるこの種のメカニズムの必要性を排除することにより、パンチ鋭利化および交換操作を容易化させるにはパンチ工具につき解除および調整メカニズムが必要とされる。
【０００３】
ストリッパー板の迅速解除を可能にする従来の試みは採用しえないことが判明している。ウイルソン等に係る米国特許第４，２４８，１１１号は、保持用タブを有するクリップがストリッパー板におけるグルーブに係合するストリッパー板解除メカニズムを示している。別途のフォーク状工具がグルーブ中へ摺動して、クリップを外方向に押圧し、これにより保持用タブを脱着させる。ロセネ等に係る米国特許第５，３０１，５８０号は、ガイドスリーブに対し手動で回転させうる回転自在なストリッパー板キャップを備える固定用リングストリッパー板アセンブリを記載している。ストリッパー板は、キャップを回転させてスプリット端部保持ワイヤを緩めることにより解除される。バネ負荷固定ボタンが回転自在なストリッパー板キャップを所定位置に固定する。チャサムに係る米国特許第５，１２７，２９３号は、ロケータスロットを有すると共に突出部を保持する保持リングにより所定位置に保たれると共に解除操作および固定操作につき締め付けられるストリッパー板を示している。プランジャーアセンブリがガイドアセンブリに装着されると共に、ガイドアセンブリの長手軸線に対し実質的に平行な方向に往復するバネ付勢プランジャを備える。ストリッパー板解除メカニズムに関する他の特許は次の特許を含む。ヘインズ等に係る米国特許第３，５２１，９１１号、ウイルソンに係る米国特許第４，４４６，７６７号および第４，０９２，８８８号、ジョンソン等に係る米国特許第４，９８９，４８４号、第５，０５６，３９２号および第５，０８１，８９１号、並びにネルソンに係る米国特許第２，４９１，１２８号。これら特許はいずれも、パンチ工具アセンブリの主たる解体なしにストリッパー板の迅速解除を可能にせず或いは本発明の容易操作されるストリッパー板保持手段を考慮しない。
【０００４】
従来技術に説明されたパンチ解除メカニズムは非効果的であることも証明されている。ミヤカワに係る米国特許第４，５７７，８７５号は、工具シャンクがチューブ状部材の貫通穴部に位置するボールベアリングによりスピンドルの孔部に保持される着脱自在な工具固定アセンブリを記載している。シャンクを解除するには、環状凹部を有する摺動自在なスリーブが前方向に摺動してボールベアリングを係合から解除させる。イジェクタ部材を用いてパンチを孔部から押し出す。
アスベルグに係る米国特許第５，０３７，２５４号は、工具を支持することを意図した円錐アーバーを有する工具クランプ装置を記載している。円錐アーバーは、引抜タップを螺着係合させるネジ付孔部を有する後部を備える。引抜タップには、クランプ用スリーブに位置せしめた固定用リングを収容する環状凹部を設ける。円錐アーバーは、引抜バーおよびスリーブを軸線前方向に押圧するのに充分なプレス力を引抜バーに加えることにより固定用リングを半径方向外方に拡大させると共に引抜タップを解除することにより解除される。ブレッシングに係る米国特許第４，７７７，７１４号は、ピストンロッド内に位置すると共に堅固に取り付けられたクランプスリーブを有するサーボ作動ドライブスリーブを備えたチャックのための迅速交換装着部を記載している。クランプスリーブは、内部にボールを設けた環状の一連の穴部を備える。スリーブをバネ付勢させてボールを内方向に押圧し、これらをクランプジョーキャリヤの環状グルーブ中へ変位させ、これによりキャリヤを所定位置に固定する。クランプ用シリンダおよびスリーブはクランプ力をキャリヤに伝達する。ヘルツォグ等に係る米国特許第３，５４８，７００号および第３，５９５，１１３号は、ボールベアリングをパンチから延びるシャンクと係合させて維持する複合なケイジ、ピンもしくはスリーブアセンブリを備えたパンチホルダーおよびドライブアセンブリを記載している。日本国特許公開６−９９３０２号は、ショルダー領域を有するスタッドがボールベアリングにより着脱自在に固定される工具保持アセンブリを記載している。固定が解除される際に弾性部材が隣接部材を上方向に押圧し、ボールベアリングを半径方向内方かつ若干上方向に移動させる。米国特許第４，８５０，７５５号、第３，７２０，４１７号、第３，７３５，９９３号、第３，６３３，９３１号、第３，６５８，３５１号および第４，３０９，０４２号は、ボールスリーブと軸方向摺動自在な固定カラーとを備える迅速解除ボール−固定メカニズムを記載している。これら従来技術の引例はいずれも、アセンブリに対する簡単な押圧がパンチを解除させるパンチ解除メカニズムを教示も示唆もしていない。
【０００５】
パンチ工具の高さ調整に関し、多くの特許は高さ調整を行うためのネジ付部品の使用を示しているが、いずれも相対的回転を抑制するための容易操作しうる固定手段を開示していない。シュナイダーに係る米国特許第５，６４７，２５６号は、任意の少ない工程にてパンチの全長を調整するパンチユニットを示している。下側パンチドライバー要素は、上側パンチドライバー要素のネジ付シャフトを螺着しうるネジ付孔部を備える。パンチドライバー要素およびパンチを、ガイドブシュにおける軸方向線状グルーブに係合するスプラインにより相対回転しないよう固定する。パンチの高さを変化させるには、押ボタンを押圧解除してパンチドライバー要素のベースを固定解除することにより、パンチドライバー要素を回転させてパンチの位置変化を行わねばならない。ウイルソン等に係る米国特許第４，３７５，７７４号は、パンチヘッドが軸方向下方に配置されたネジ付ポストを備えてパンチドライバーのネジ付壁部と螺着させる調整自在なパンチアセンブリを示している。ボルトがパンチヘッドをバネ支持カラーに固定する。拡大自在な固定ピンをパンチヘッドおよびパンチドライバーに設けられたキャビティに位置せしめて、螺着接続部の周囲におけるパンチドライバーに対するパンチヘッドの望ましくない回転を防止する。パンチの高さを調整するには、作業員がアセンブリをガイドから取り外し、固定ピンを取り外し、アセンブリをパンチドライバーに対し回転させ、次いでアセンブリをガイドに戻す。高さ調整は、パンチアセンブリをガイドアセンブリから除去した際にのみ可能である。チンプ等に係る米国特許第５，３２９，８３５号は、パンチホルダーと、パンチスリーブ内に配置された交換自在なパンチブレードとを備える調整自在な長さのパンチセットを示している。パンチホルダーはネジ付雄部分を有して、パンチドライバーのネジ付雌部分に螺着する。長さ調整メカニズムは押ボタンとキャビティの延長部に着座する付勢バネとで構成されて、パンチホルダーに対し回転しえないようにする。
押ボタンを１組の移動止めによりパンチドライバーに係合保持する。この配置はパンチドライバーをパンチホルダーに固定して回転を防止する。調整を行うには、操作員が隣接穴部を介し調整長さ押ボタンを押圧解除して、これを移動止めとの係合から解除させる。同時に操作員はパンチドライバーとバネとをパンチホルダーに対し回転させる。ウイルソン等に係る米国特許第５，１３１，３０３号は、雌ネジ付端部を有するパンチホルダーと、ホルダーの雌端部内に係合収容される雄ネジ付端部を有するパンチ本体とを備えたパンチアセンブリを示している。
パンチホルダーがパンチ本体に対し回転する際、パンチ本体はパンチホルダーに対し軸方向に移動する。円弧状ワイヤクリップがネジ付端部を相対回転しないよう固定する。これら従来技術の引例はいずれも、工具がハウジング内に完全に組み立てられた際に容易かつ正確なパンチ高さ調整を可能にせず、パンチヘッドとドライバースリーブとの間に配置された固定手段を与えない。
【０００６】
従って、ストリッパー板とパンチとを工具の必要なしに迅速に除去しうると共に、パンチの高さをガイド内で調整することができ、さらに組み立ておよび調整操作が限られた手作業しか必要としないパンチ工具アセンブリを提供することが望ましい。
【０００７】
（発明の概要）
本発明は、ストリッパー板およびパンチの迅速除去および交換を工具の使用なしに可能にする迅速解除メカニズムを有する調整自在なパンチ工具アセンブリに向けられる。パンチを交換するには、作業員は最初にストリッパー板迅速解除メカニズムのボタンを内方向に押圧すると共にスライドを上方向に移動させてストリッパー板の端部を解除することによりストリッパー板を除去する。次いで作業員は下方向にアセンブリのパンチおよび／またはガイドを押圧する。この下方向の力はパンチ工具迅速解除メカニズムの保持ノブをボールベアリング固定アセンブリから遊離させ、これによりパンチを持ち上げかつ除去することを可能にする。パンチの調整は、パンチヘッドとドライバースリーブとの間に位置する固定メカニズムを解除すると共にパンチとパンチドライバーとガイドとドライバースリーブとをパンチヘッドに対し単一ユニットとして回転させることにより行われる。この回転は、パンチとパンチドライバーとを所望の高さが得られるまでガイドに対し軸方向に移動させるのを許容する。レンチもスクリュードライバーもシムも他の工具も必要とされない。アセンブリジグを用いて、パンチ工具アセンブリを調整および除去操作に際し倒置位置に保持する。
【０００８】
ストリッパー板をガイドに着脱自在に固定する迅速解除メカニズムは、前端部近くにガイドの外壁部に沿って設けられた軸方向凹部もしくはスロットに位置する複数スライドを備える。各スライドを一般にガイドの長手軸線に対し平行な方向に移動するよう装着し、その上部内側表面に設けられた変化する深さの凹部とその下端部近くに設けた開口部とを備える。ガイドに装着されたバネ負荷ボタンはガイドから半径方向外方にスライドにおける開口部を介して突出する。ボールベアリングを、スライドの凹部とストリッパー板の側縁部に沿って設けられた円周グルーブとの間に位置せしめる。固定位置にて、各スライドはバネ負荷ボタンが半径方向外方に付勢すると共にスライドにおける開口部を貫通するよう位置せしめ、ボールベアリングをスライドにおける環状凹部の上方の浅い部分とストリッパー板におけるグルーブとの間に位置せしめる。ストリッパー板を除去するには、各スライドのためのボタンをボタンがスライドにおける開口部から出るまで内方向に押圧する。かくして各スライドは非固定状態となり、ガイドに対し軸方向移動することができる。各スライドを上方向に押圧する際、環状凹部の深い部分はストリッパー板における円周グルーブと整列するようになる。このように整列した際、ボールベアリングはスライドにおける凹部の深い部分まで半径方向外方に移動して、ストリッパー板の縁部を解除する。
【０００９】
パンチホルダーのための迅速解除メカニズムは、パンチホルダーの底部に装着された保持ノブと、パンチドライバーを通して中央位置せしめた軸方向通路とを備える。通路は、狭い中間チャンバと、それぞれ中間チャンバの前方向および後方向の各端部に設けられた幅広の第１および第２チャンバとを備える。ボールベアリングを支持するボールホルダーを第２チャンバの頂部表面を規定する孔の壁部に取り付け、一般にパンチドライバーの長手軸線に対し平行な方向に下方向へ延在させる。ボールスリーブはボールホルダーの下部を包囲すると共に、下方向へパンチヘッドの前表面を貫通位置する孔部中へ突入する。変化する深さを有する環状グルーブを、その前端部近くのスリーブの内側表面に沿って設ける。保持ノブはパンチ工具をパンチドライバーに着脱自在に接続すると共に、内部に環状グルーブを設けた自由端部を備える。パンチホルダーをアセンブリに固定すると、保持ノブの自由端部はボールホルダーを通してスリーブ中へ延びると共に、ボールベアリングは保持ノブにおける環状グルーブ内に静止するホルダーによって支持される。パンチホルダーは、ガイドおよび／またはパンチに下方向の力を加えると共にスリーブの軸方向移動を阻止することにより除去され、保持ノブおよびボールホルダーをボールスリーブ中へ一層深く移動させる。最終的にボールホルダーは、ボールベアリングがスリーブの内側表面に沿って設けられた環状グルーブの最も深い部分と整列する位置まで移動する。その箇所にて、ボールベアリングは半径方向外方に移動することにより保持ノブを解除すると共にパンチホルダーを上方向へ移動させかつパンチドライバーから解除することができる。
【００１０】
本発明のアセンブリは、パンチ先端部の位置を調整すると共にパンチ工具アセンブリをガイド内に位置せしめる手段をも備える。パンチヘッドのネジ付雄端部を、パンチドライバーの後端部に設けられたネジ付雌開口部により収容する。ガイドとパンチドライバーとドライバースリーブとパンチとをパンチヘッドに対しユニットとして相対回転するよう締め付けると共に、パンチドライバーとパンチとをガイドに対し軸方向移動するよう固定する。パンチヘッドを回転しないよう固定する手段をパンチヘッドとドライバースリーブとの間に設ける。この固定手段は、パンチヘッドの底部に設けられた軸方向孔部と、孔部に位置するバネ負荷ピンと、ドライバースリーブの下部内側表面に沿って位置する凹部の円周リングとを備える。ボールベアリングを、スリーブの凹部とピンの外側表面に沿って設けられた変化する深さの凹部との間に位置せしめる。パンチヘッドの回転が望ましければ、固定ピンをピンにおける凹部の深い部分がボールベアリングと整列してボールベアリングを半径方向内方に移動させると共にドライバースリーブを解除させるよう軸方向に移動させる。パンチ先端部の位置を調整するには、内部にパンチ工具アセンブリを配置したガイドをパンチヘッドに対し相対回転させて、パンチとパンチドライバーとをガイド内で軸方向に移動させる。
【００１１】
ここに説明した調整および交換操作はアセンブリジグを用いて行われる。このジグは、一般に平行な平面に位置する頂部プレートおよび底部プレートから形成されたベースを備える。プランジャーロッドが、各プレートに位置する中央孔部を通して延びる。ロッドは、パンチヘッドの下端部に設けられた孔部に摺動自在に挿入することができる。突出部または凹部を、パンチヘッドを固定保持するよう頂部プレートの上側表面に沿って設ける。パンチ工具アセンブリを倒置位置に保持するアセンブリジグは、パンチアセンブリをガイドから除去することなくパンチ深さの調整を可能にすると共にパンチの迅速交換を可能にする。
【００１２】
以下、一層明らかとなる本発明の上記および他の目的、利点および特徴により、本発明の本質は以下の詳細な説明および添付図面を参照して一層明らかに理解しうるであろう。
【００１３】
（発明の詳細な説明）
次に、図面を参照し、ここで同様な部材は同様な参照符号によって示される。
図１は本発明によるパンチ工具アセンブリ１０の縦断面図であり、このアセンブリはパンチガイド１４の内部に中央配置されると共に軸方向変位自在であるパンチ工具１２を有する。パンチ工具１２は、パンチ先端部１６と、このパンチ先端部１６に接続され或いは一体化したパンチホルダー１８とを備える。パンチ先端部１６を収容するための開口部２２を有するストリッパー板２０をガイド１４の前端部２４に着脱自在に着座させる。パンチ先端部１６とは反対側のパンチ工具１２の端部を、保持ノブ３０によりパンチドライバー２８の前端部２６に着脱自在に固定する。保持ノブ３０を着脱自在に固定するメカニズム３２を、パンチドライバー２８を貫通して設けた中央長手通路３４に位置せしめる。固定メカニズム３２は、軸方向移動するよう装着したボールベアリングホルダー３６を備えると共に、パンチドライバー２８とボールベアリングスリーブ３８とをボールベアリングホルダー３６と長手通路３４を画定する壁部との間に位置せしめる。ワッシャー４０とスナップリング４２とを、スリーブ３８を所定位置に固定するよう設ける。パンチドライバー２８の後端部４４をパンチヘッド４６に調整自在に接続する。ドライバースリーブ４８は、パンチドライバー２８およびパンチヘッド４６を包囲すると共に、その上部５０をガイド１４とパンチドライバー２８との間に位置せしめる。パンチヘッドカラー５２をセットスクリュー５６によりドライバースリーブ４８の下部５４に取り付け、ドライバースリーブ４８の下部５４をパンチヘッド４６にクランプする。ドウェルピン５８がドライバースリーブ４８およびパンチドライバー２８における整列開口部６０、６２を貫通して、パンチドライバー２８のパンチヘッド４６に対する軸方向移動の程度を制限すると共に、パンチドライバー２８とパンチ工具１２とガイド１４とに対する相対的回転に対しドライバースリーブ４８を固定する。パンチヘッド４６に軸方向配置されたバネ負荷固定ピン６４はパンチヘッド４６／ドライバースリーブ４８界面に位置せしめたボールベアリング６６と連携して、パンチヘッド４６の回転運動を調整する。圧縮バネ６８がパンチドライバー２８とパンチヘッド４６とを包囲すると共に、ガイド１４の後端部７０とパンチヘッドカラー５２の前表面７２との間に延びる。パンチ工具１２とパンチドライバー２８とを、それ
らの間に装着されたキー７４により相対回転しないよう固定する。キー７４の外側半径方向端部（図示せず）がパンチ工具１２の外側表面およびパンチドライバー２８を越えて延びると共に、ガイド１４における直線グルーブ７６に係合する。
【００１４】
図２を参照して、ストリッパー板２０のための迅速解除メカニズム７８は、ガイド１４に固定されたスライド８０を備える。スライド８０は、固定位置と非固定位置との間で前方向および後方向に移動自在であると共に、ガイド１４の前端部２４に沿って均等に離間する。スライド８０の個数およびその設置は本発明の範囲から逸脱することなく変化させうることが了解されよう。各スライド８０を、ガイド１４からスライド８０の下部に設けられた開口部８４を介し半径方向に延びるバネ負荷ボタンアセンブリ８２により所定位置に固定する。ストリッパー板２０を解除するには、ボタン８２を内方向に押圧し、これによりスライド８０を解除させる。スライド８０が前方向に押圧される際、スライド８０の上部凹状内側表面８８とストリッパー板２０の円周におけるグルーブ９０との間に位置するボールベアリング８６は半径方向外方に移動して、ストリッパー板２０を解除する。図３および図４に示したように、各スライド８０は、外側フランジ９２と、それを貫通して設けた開口部８４を有する下部９４と、その上部内側表面８８に設けられた変化する深さの凹部９６とを有する。フランジ９２は、スライド８０の円周に沿って延びると共に、ガイド１４の前方向外側表面１００に沿って設けられた収容スロット９８にスライド８０を固定するよう作用する（図５〜図７）。バネ負荷ボタン８２の半径方向移動を制限するため、開口部８４を規定するスライド８０の表面と一体化したリング１０２を開口部８４に中央位置せしめ、これによりその中央領域における開口部８４の断面積を減少させる。図２に示したように、リング１０２は、ボタン８２の前部が貫通するがベースは貫通しえないような寸法を有する。ボタン８２のベース１０４をバネボタンストッパ１０６に接続して、螺旋バネ１０８により外方向に付勢させる。ストリッパー１０６は、このストリッパー１０６および従ってボタン８２のみが内方向へ所定距離だけ押圧させうるような寸法を有する。スライド８０の上部内側表面８８に設けられた凹部９６は、これがスライド８０の頂部から下方向に延びて一般に球状の深いポケット１１０で終端する際に、深さおよび幅を増大する。スライド８０がガイド１４の外側表面１００に沿って前方向移動する際、ガイド１４に位置するボールベアリング８６は半径方向外方に移動し、最終的にストリッ
パー板２０の円周におけるグルーブ９０から出て、スライド８０がその非固定位置に達する際にスライド８０の深ポケット１１０に静止する。
【００１５】
図５〜図７を参照して、ガイド１４は、その前方向外側表面１００に沿って設けられた複数スロット９８を有して、ストリッパー板迅速解除メカニズム７８のスライド８０を収容する。スロット９８は、スライド８０の寸法に対応すると共にスライド８０の前方向および後方向移動を可能にする寸法を有する。円周リップ１１２をこれに沿って設けると共に、内部にスライド８０を保持すべく各スロット９８の前部を形成する。各スロット９８はその頂部に開口部１１４を備えて、スライド８０の上部がそこから出るのを可能にし、すなわちガイド１４の前端部を越えて延びることを可能にする。キャビティ１１６を各スロット８０の背面１１８に設けて螺旋バネ１０８およびバネ負荷ボタンアセンブリ８２のストッパ１０６を収容する。通路１２０をガイド１４の前端部を貫通して設け、ストリッパー板迅速解除メカニズム７８のボールベアリング８６を支持する。図６に示したように、通路１２０はスロット９８の前方向部分１２２とストリッパー板２０が着座するガイド１４の切欠部１２４との間に延びる。各通路１２０はボールベアリング８６を内部に固定収容すると共に、スライド８０が固定位置と非固定位置との間で移動する際にボールベアリング８６の半径方向移動を可能にする。
【００１６】
図５および図６に示したように、ガイド１４はスライド収容スロット９８の間に離間させた線状グルーブ１２６をさらに備える。グルーブ１２６は実質的にガイド１４の全長にわたり延びる。ガイド１４は、グルーブ１２６の１つとガイド１４の内側表面により画定されたパンチ収容領域との間に延びる横孔部１２７をも備えて、パンチ工具１２とパンチドライバー２８とから突出するガイドキー７４の外側端部を収容する。
【００１７】
図１および図８〜図１３を参照して、パンチ工具迅速解除メカニズム１２８の構成部品は、保持ノブ３０（図８〜図９）と、ボールベアリングホルダー３６（図１０〜図１１）と、ボールベアリングスリーブ３８（図１２〜図１３）とを含む。保持ノブ３０は、第１端部１３０を備えて、これをパンチ工具１２の後端部に接続する。パンチ工具１２は、好ましくは中央位置する長手ネジ付孔部１３２（図１）を備えて保持ノブ３０における第１端部１３０のネジ付部分１３４を収容すると共に係合する。保持ノブ３０は、一般に円錐状の壁部とそこに設けた円周グルーブ１３８とを有する第２自由端部１３６をも備える。第１および第２端部１３０、１３６は、パンチ工具１２の背面に対し静止するフランジ部分１４２と、そこから延びるシャフト部分１４４とを備える中間セクション１４０により連結される。
【００１８】
図１０〜図１１を参照して、ボールベアリングホルダー３６はパンチドライバー２８に接続される前端部１４６とフランジ付後端部１４８とを有する一般に円筒状本体である。ホルダー３６の内径は、保持ノブ３０の第２端部１３６の最大断面積よりも若干大である。複数の横ボールベアリング収容通路１５０を、ホルダー３６を貫通して設ける。ホルダー３６は、支持すべきボールベアリングの直径よりも小である厚さを有する。図１２〜図１３を参照して、ボールスリーブ３８は、一般に円筒状の断面を有し、太くて短い前部分１５２と細くて長い後部分１５４とを備える。円周グルーブ１５６を前部分１５２の内側表面に沿って設ける。グルーブ１５６は変化する深さを有し、最大深さはその下部１５８に位置する。一般に一定の深さを有する１対の円周グルーブ１６０、１６２をも後部１５４の遠端部１６４の内側表面に沿って設け、スナップリング１６６とプッシュプレート１６８とをボールベアリングスリーブ３８（図１）に収容すると共に固定する。
【００１９】
パンチ工具迅速解除メカニズム１２８の組立および操作を検討する前に、パンチドライバー２８およびパンチヘッド４６の構造につき簡単に説明する必要がある。図１４〜図１６を参照して、パンチドライバー２８は、フランジ部分１７０と、このフランジ部分１７０に一体化した第１端部１７４および内部に設けた長手ネジ付孔部１７８を含む第２端部１７６とを有する本体部分１７２とを備える。フランジ部分１７０は、インデント前表面１８０と内部に設けたネジ収容孔部１８２とを備えて、ガイドキーをこれに固定する。中央位置する長手通路３４はフランジ部分１７０の前表面１８３と本体部分１７２の第２端部１７６におけるネジ付孔部１７８との間に延びる。通路３４は、連続的であると共に、フランジ部分１７０に位置する第１チャンバ１８４と本体部分１７２の第１端部１７４に位置する第２チャンバ１８６とそれらの間に位置する中間チャンバ１８８とを備える。中間チャンバ１８８の断面積は第１チャンバ１８４もしくは第２チャンバ１８６のいずれよりも小さい。グルーブ１９０を第２チャンバ１８６に隣接してパンチドライバー１２８に設け、スナップリング４２とワッシャー４０（図１）とを収容する。横ノッチ１９２をも本体部分１７２の外側表面に設けて、パンチドライバー２８とパンチ工具１２とをドライバースリーブ４８に固定するためのドウェルピン５８を収容する。図１７〜図１９を参照して、パンチヘッド４６は、部分的にネジ付前セクション１９４とフランジ付後セクション１９６とを備える。種々異なる断面積の複数チャンバにより画定される長手孔部１９８はパンチヘッド４６の全長にわたり延在する。
【００２０】
図１に示したように、パンチ工具迅速解除メカニズム１２８の組立は次の通りである。ボールベアリングホルダー３６を、パンチドライバー２８の前端部２６を通して延在する通路３４の第２チャンバ１８６に中央位置せしめる。ボールベアリングホルダー３６の前端部１４６を第２チャンバ１８６の上壁部を画定する表面に接続して、ボールベアリングホルダー３６がパンチドライバー２８と共に軸方向に移動するようにする。図１に示したように、ボールベアリングホルダー３６の内径は中間チャンバ１８８の直径とほぼ同じである。ボールベアリングスリーブ３８を、スリーブ３８の前部分１５２がホルダー３６を包囲すると共に完全に第２チャンバ１８６内に存在するよう位置せしめる。スナップリング４２とワッシャー４０とをパンチドライバー２８におけるグルーブ１９０に位置せしめて、スリーブ３８が第２チャンバ１８６から出るのを防止する。スリーブ３８の後部１５４を第２チャンバ１８６を越えてパンチヘッド４６における長手孔部１９８中へ突入させる。プッシュプレート１６８とスナップリング１６６とをグルーブ１６０、１６２に位置せしめると共に、螺旋バネ２００をプッシュプレート１６８とボールベアリングホルダー３６のフランジ付後端部１４８との間に位置せしめる。
【００２１】
パンチ工具１２を固定するため、保持ノブ３０をその第２端部１３６がボールベアリングホルダー３６を通して延在するよう位置せしめると共に、ボールベアリング２０２をノブ３０の円周グルーブ１３８に静止させる。工具１２を固定解除するには、パンチ工具１２とパンチドライバー２８とボールベアリングホルダー３６とを、ボールベアリングスリーブ３８が静止している間にユニットとして下方向移動させる。パンチヘッド４６における長手孔部１９８を上方向に貫通延在するロッドもしくは他の物体（図２５Ａ〜２５Ｄ）はスリーブ３８が下方向移動するのを防止する。ボールベアリングホルダー３６のフランジ付後端部１４８は螺旋バネ２００を圧縮すると共に、パンチ工具１２はボールベアリング２０２がスリーブ３８におけるグルーブ１５６の最深部分に突入するまで固定され続ける。この時点でパンチ工具１２を持ち上げてアセンブリ１０から外すことができる。何故なら、保持ノブ３０はもはやボールベアリング２０２に係合しないからである。
【００２２】
パンチ高さは、パンチヘッド４６をパンチドライバー２８に対し相対回転させることにより調整される。ボールベアリング／ピン固定メカニズム２０４を、パンチ工具１２を所望高さに固定すべく設ける。図１７〜図１９を参照して、パンチヘッド４６のフランジ付後部セクション１９６は開口部２０６を備えてパンチ調整固定メカニズム２０４を収容する。特にフランジ付部分１９６の外側領域はパンチヘッド４６の長手軸線に対し一般に平行な方向に延びる孔部２０８を有して、螺旋バネ２１０と固定ピン２１２（図１、図２３〜図２４）とを収容する。
バネ２１０により外方向に付勢される固定ピン２１２は、変化する深さの凹部２１４をその１側部に沿って備える。図２３および図２４に示したように、固定ピン２１２における凹部２１４は浅い部分２１６と深い部分２１８とを備える。横通路２２０が孔部２０８をパンチヘッド４６の外側表面に接続する。ボールベアリング２２２は通路２２０内に位置すると共に、内部における半径方向移動を可能にする。
【００２３】
図１および図２０〜図２２を参照して、ドライバースリーブ４８の下部５４はパンチヘッド４６のフランジ付セクション１９６とパンチヘッドカラー５２との間に存在する。離間ノッチ２２６の円周リング２２４を、下部５４近くのドライバースリーブ４８の内側表面に沿って位置せしめる。固定メカニズム２０４が「固定」位置にある際、ボールベアリング２２２はドライバースリーブ４８におけるノッチ２２６の１つと固定ピン２１２における凹部２１４の浅い部分２１６との間に静止する。パンチヘッド４６を固定解除するには、固定ピン２１２を内方向に押圧する。ボールベアリング２２２は、固定ピン２１２の凹部２１４における深い部分２１８がボールベアリング２２２を支持する横通路２２０と整列するまで移動する際、半径方向内方に移動する。ボールベアリング２２２のこの半径方向移動はドライバースリーブ４８を解除すると共に、ドライバースリーブ４８および／従ってパンチドライバー２８をパンチヘッド４６に対し自由に相対回転させることができる。ドライバースリーブ４８における長手開口部もしくはスリット６２を貫通するドウェルピン５８がパンチドライバー２８と係合し、ドライバースリーブ４８がパンチドライバー２８と共に回転するよう確保する。
【００２４】
図２５〜図３１を参照して、パンチ工具アセンブリ１０の組立および解体を容易化させるための調整ジグ２３２はベース２３６とプランジャーロッド２３４とを備える。ベース２３６は頂部プレート２３８と底部プレート２４０とを備える。プレート２３８、２４０は一般に平行な平面に存在し、ピン２４２もしくは他の接続手段により接続される。複数キャビティ２４４を底部プレート２４０の上側表面２４６と頂部プレート２３８の下側表面２４８と頂部プレートおよび底部プレート２３８、２４０を貫通して設け、許容しうる接続手段を収容する。図２５Ｄに示したように、頂部プレート２３８は底部プレート２４０に接近させ或いはそこから離間移動させることもできる。図２８〜図３０を参照して、頂部プレート２３８の上側表面２５０はインデントされ、離間した上昇突出部および凹部の形態における固定部材２５２を有して、パンチヘッド４６のフランジ付後部セクション１９６を頂部プレート２３８に固定する。プランジャーロッド２３４は、プレート２３８、２４０に位置する中央穴部２５４を通して延びる。ロッド２３４は、パンチヘッド４６を貫通して設けられた長手孔部１９８に摺動自在に挿入することができる。ロッド２４３の１端部２５６にはネジ山を設ける。
【００２５】
図２５Ａ〜図２５Ｄは本発明の組立、調整および解体の各操作を詳細に示す。
パンチ工具アセンブリ１０を倒置させると共にアセンブリジグ２３２上に載置し、ジグ２３２のプランジャーロッド２３４をパンチヘッド４６の長手孔部１９８に貫通延在させる。ボールベアリングスリーブ３８の後部の底部をプランジャーロッド２３４の頂部に載置する。保持ノブ３０を突出させて有するパンチ工具１２をガイド１４に挿入する。工具１２を、保持ノブ３０の第２端部１３６がパンチドライバー２８における第１チャンバ１８６と中間チャンバ１８８とを貫通すると共にボールホルダー３６に支持された各ボールベアリング２０２の間に静止するまで、下方向に押圧する。ボールベアリング２０２を保持ノブ３０の第２端部１３６における円周グルーブ１３６に静止させて、工具１２をパンチドライバー２８に固定する。図２５Ｂに示したように、パンチ高さはガイド１４とパンチ工具１２とパンチドライバー２８とをパンチヘッド４６に対し単一ユニットとして回転させることにより調整される。次いでパンチ工具アセンブリ１０をジグ２３２から取り外し、パンチ高さを固定ピン／ボールベアリングメカニズム２０４を用いて固定する。
【００２６】
パンチ工具１２の除去を図２５Ｃおよび図２５Ｄに示す。パンチ工具アセンブリ１０を倒置すると共にアセンブリジグ２３２上に載置し、プランジャーロッド２３４の頂部がボールベアリングスリーブ３８を支持する。パンチ工具１２および／またはガイド１４を下方向に押圧することにより、保持ノブ３０およびボールベアリングホルダー３６は静止ボールベアリングスリーブ３８中へ一層深く移動して、ボールベアリング２０２をスリーブ３８における円周グルーブ１５６の下側もしくは深い部分１５８中へ半径方向に移動させる。次いでパンチ１２を、保持ノブがもはや包囲ホルダー３６におけるボールベアリング２０２に係合しない際、持ち上げてガイド１４から取り外す（図２５Ｄ）。
【００２７】
本発明の現在好適な実施例につきここに詳細に説明したが、図示および記載した各実施例の改変を本発明の思想および範囲を逸脱することなくなしうることが当業者には了解されよう。
【図面の簡単な説明】
【００２８】
【図１】図１は、本発明のパンチ工具アセンブリの軸方向縦断面図である。
【図２】図２は、本発明のストリッパー板迅速解除メカニズムの断面詳細図である。
【図３】図３は、本発明のストリッパー板迅速解除メカニズムのスライドの側部断面図である。
【図４】図４は、図３のスライドの後面図である。
【図５】図５は、本発明のガイドの平面図である。
【図６】図６は、図５のガイドの６−６線断面図である。
【図７】図７は、図５のガイドの上部を示す７−７線拡大部分断面正面図である。
【図８】図８は、本発明のパンチ迅速解除メカニズムの保持ノブの正面図である。
【図９】図９は、図８の保持ノブの底面図である。
【図１０】図１０は、本発明のパンチ迅速解除メカニズムのボールベアリングホルダーの平面図である。
【図１１】図１１は、図１０のホルダーの側面図である。
【図１２】図１２は、本発明のパンチ迅速解除メカニズムのボールベアリングスリーブの底面図である。
【図１３】図１３は、図１２のボールベアリングスリーブの１３−１３線断面図である。
【図１４】図１４は、本発明のパンチドライバーの平面図である。
【図１５】図１５は、部分断面にて示したガイドキーを固定する手段を有する図１４のパンチドライバーの側面図である。
【図１６】図１６は、図１４のパンチドライバーの１６−１６線断面図である。
【図１７】図１７は、本発明のパンチヘッドの底面図である。
【図１８】図１８は、図１７のパンチヘッドの側面図である。
【図１９】図１９は、図１７のパンチヘッドの１９−１９線断面図である。
【図２０】図２０は、本発明のドライバースリーブの底面図である。
【図２１】図２１は、図２０のドライバースリーブの側面図である。
【図２２】図２２は、図２０のドライバースリーブの２２−２２線断面図である。
【図２３】図２３は、本発明のパンチ調整メカニズムの固定ピンの側面図である。
【図２４】図２４は、図２３の固定ピンの２４−２４線断面図である。
【図２５Ａ−Ｂ】図２５Ａ〜Ｂは、本発明のアセンブリジグを用いるパンチ工具ユニットの組立、パンチ調整および解体を示す図面である。
【図２５Ｃ−Ｄ】図２５Ｃ〜Ｄは、本発明のアセンブリジグを用いるパンチ工具ユニットの組立、パンチ調整および解体を示す図面である。
【図２６】図２６は、本発明のアセンブリジグの底部プレートの平面図である。
【図２７】図２７は、図２６のアセンブリジグの底部プレートの２７−２７線断面図である。
【図２８】図２８は、本発明によるアセンブリジグの頂部プレートの部分平面図である。
【図２９】図２９は、図２８のアセンブリジグの頂部プレートの２９−２９線断面図である。
【図３０】図３０は、図２８のアセンブリジグにおける頂部プレートの３０−３０線断面図である。
【図３１】図３１は、本発明によるアセンブリジグのプランジャーロッドの正面図である。
【図１】
2008087070.tif 000003
【図２】
2008087070.tif 000004
【図３】
2008087070.tif 000005
【図４】
2008087070.tif 000006
【図５】
2008087070.tif 000007
【図６】
2008087070.tif 000008
【図７】
2008087070.tif 000009
【図８】
2008087070.tif 000010
【図９】
2008087070.tif 000011
【図１０】
2008087070.tif 000012
【図１１】
2008087070.tif 000013
【図１２】
2008087070.tif 000014
【図１３】
2008087070.tif 000015
【図１４】
2008087070.tif 000016
【図１５】
2008087070.tif 000017
【図１６】
2008087070.tif 000018
【図１７】
2008087070.tif 000019
【図１８】
2008087070.tif 000020
【図１９】
2008087070.tif 000021
【図２０】
2008087070.tif 000022
【図２１】
2008087070.tif 000023
【図２２】
2008087070.tif 000024
【図２３】
2008087070.tif 000025
【図２４】
2008087070.tif 000026
【図２５Ａ−Ｂ】
2008087070.tif 000027
【図２５Ｃ−Ｄ】
2008087070.tif 000028
【図２６】
2008087070.tif 000029
【図２７】
2008087070.tif 000030
【図２８】
2008087070.tif 000031
【図２９】
2008087070.tif 000032
【図３０】
2008087070.tif 000033
【図３１】
2008087070.tif 000034
【手続補正書】
【提出日】平成19年11月19日(2007.11.19)
【手続補正１】
【補正対象書類名】特許請求の範囲
【補正対象項目名】全文
【補正方法】変更
【補正の内容】
【特許請求の範囲】
【請求項１】
前端部と後端部と軸方向に貫通配置された通路とを有するパンチドライバーと、
前記パンチドライバーの前記後端部に接続されたパンチヘッドと、
保持ノブにより前記パンチドライバーの前記前端部に接続されたパンチとを備え、
前記保持ノブは、前記パンチに接続された第１端部と、前記パンチドライバーの前記通路中へ軸方向に延びると共にそこに設けられた環状グルーブを有する第２端部とを備え、
前記パンチドライバーに接続されると共に前記パンチドライバーの前記通路内に位置するボールベアリングホルダーをさらに備えて、前記ホルダーが前記保持ノブの少なくとも一部を包囲するようにし、前記ホルダーは前記ホルダーが固定位置にある際に前記保持ノブの前記環状グルーブに係合する少なくとも１つのボールベアリングを支持し、
さらに前記ボールベアリングホルダーと前記通路を画定する前記パンチドライバーの壁部との間に位置するスリーブを備え、前記スリーブはその内側表面に沿って少なくとも１つの凹状領域を有して前記ホルダーが非固定位置にある際に少なくとも１つの前記ボールベアリングを収容し、前記ボールベアリングホルダーおよび前記保持ノブは前記スリーブに対し軸線方向に単一ユニットとして移動自在であることを特徴とするパンチ工具アセンブリ。
【請求項２】
前記保持ノブの前記第１端部がネジ山を有し、前記第１端部が前記パンチに設けられたネジ付孔部に螺着収容される請求項１に記載のアセンブリ。
【請求項３】
前記保持ノブが前記第１端部と第２端部との間に延びる長形シャンク部分を有し、前記シャンク部分が前記第１端部近くにフランジをさらに備える請求項１に記載のアセンブリ。
【請求項４】
前記スリーブは、前記内側表面に設けられた変化する深さの凹部を有する上側部分と、前記パンチドライバーにおける前記通路から前記パンチヘッドに設けられた軸方向孔部中へ外方向に延びる一般に円筒状の底部とをさらに備え、
さらに前記スリーブの前記底部に設けられたバネと、
前記底部を形成する前記スリーブの各壁部の間に延びると共に前記バネの底部が前記プレートの上側表面と接触するよう位置せしめたプッシュ板と、
前記パンチドライバーにおける前記穴部から前記スリーブの前記上側部分が出るのを防止する手段とをさらに備える請求項１に記載のアセンブリ。
【請求項５】
前記パンチドライバーにおける前記通路が前記パンチドライバーを通して連続的であり、前記パンチドライバーの前記前端部に位置する第１チャンバと、前記パンチドライバーの前記底端部に位置する第２チャンバと、前記第１チャンバを前記第２チャンバに接続する中間チャンバとをさらに備え、前記中間チャンバは、前記第１および第２チャンバおよび前記ボールベアリングホルダーの断面積よりも小さい断面積を有し、前記ボールベアリングホルダーが前記第２チャンバ内に中央位置する請求項１に記載のアセンブリ。
【請求項６】
パンチに接続しうる第１端部および環状グルーブを有する第２端部を持った保持ノブと、
前記保持ノブの周囲に位置せしめた一般に円筒状のボールベアリングホルダーであって、前記ホルダーは前記保持ノブが固定位置にある際に前記ボールベアリングが前記環状グルーブ内に静止するよう位置せしめた複数ボールベアリングを支持するボールベアリングホルダーと、
前記ホルダーを包囲するスリーブとを備え、前記スリーブは内側表面と前記内側表面に設けられた環状凹部とを有し、前記凹部は変化する深さと前記保持ノブが非固定位置にある際に前記ボールベアリングが静止する一般に球状の深いポケットを有し、前記保持ノブおよび前記ホルダーは、ユニットとして一緒に維持されると共に、前記ノブおよび前記ホルダーが前記スリーブ中へ一層深く圧入される際に前記スリーブに対し軸方向に移動することを特徴とするパンチ工具用の迅速解除メカニズム。
【請求項７】
ガイドと、
前記ガイド内に位置すると共に前パンチ端部と後端部とを有するパンチと、
前記ガイドの頂部に着座すると共に前記パンチの前記前パンチ端部が貫通する開口部を有するストリッパー板と、
前記ストリッパー板を前記ガイドに接続すると共に工具なしに操作しうる第１迅速解除メカニズムと、
前記パンチの前記後端部に着脱自在に接続されたパンチドライバーと、
前記パンチを前記パンチドライバーに着脱自在に接続され、工具なしに操作しうると共に前記パンチおよび前記パンチドライバーが前記ガイドに対し軸方向に移動するよう締め付けられる第２迅速解除メカニズムと、
前記パンチドライバーに螺着接続されたパンチヘッドとを備え、前記パンチの高さは前記パンチヘッドを前記パンチドライバーと前記パンチと前記ガイドとに対し相対回転させることにより調整しうることを特徴とするパンチ工具アセンブリ。
【請求項８】
ガイドと、
前記ガイド内に位置するパンチと、
前記パンチに接続された第１端部と前記第１端部に対向する第２端部とを有し、前記第２端部がそこに設けたネジ付孔部を有するパンチドライバーと、
前記パンチドライバーの前記第２端部に調整自在に接続されると共に前記パンチドライバーの前記孔部に挿入しうる雄ネジ付部分を有するパンチヘッドと、
前記パンチヘッドおよび前記パンチドライバーの少なくとも一部を包囲するドライバースリーブと、
前記ドライバースリーブを前記パンチと前記ガイドと前記パンチドライバーとに対し相対回転しないよう固定維持する手段と、
前記パンチドライバーに対し相対回転しないよう前記パンチヘッドを固定する解除自在な手段とを備え、前記解除自在な手段は、前記パンチヘッドの底部に設けられた軸方向孔部と、前記孔部に位置すると共に外側表面に沿って設けられた凹部を有するバネ負荷ピンと、半径方向移動自在であると共に前記ドライバースリーブおよび前記固定ピンに係合するよう位置せしめたボールベアリングとをさらに含むことを特徴とする調整自在なパンチ工具アセンブリ。
【請求項９】
前記固定ピンに設けられた前記凹部が変化する深さを有すると共に、前記パンチヘッドが固定される際に前記ボールベアリングが静止する第１部分と、前記パンチヘッドが非固定である際に前記ボールベアリングが静止する第２部分とを備え、前記第２部分が前記第１部分よりも大きい深さを有する請求項８に記載のアセンブリ。
【請求項１０】
前記ドライバースリーブは、内側表面と、前記ボールベアリングに隣接位置する下端部と、前記ドライバースリーブの前記下端部の周囲に前記内側表面に沿って位置せしめた凹部の円周リングとを有する請求項８に記載のアセンブリ。
【請求項１１】
貫通して設けた中央穴部を有する底部プレートと、
前記底部プレートから離間すると共に貫通して設けた中央穴部を有する頂部プレートと、
前記両プレートが軸方向に移動する際に前記底部プレートにおける前記穴部が前記頂部プレートにおける前記穴部と整列するよう前記両プレート間の空間関係を維持する手段と、前記プレートの前記中央穴部を貫通して延びるプランジャーロッドとを備えるパンチ工具用のアセンブリジク装置。
【請求項１２】
前記頂部プレートが上側表面を有し、前記上側表面がそこにパンチ工具アセンブリを固定する手段を有する請求項１１に記載の装置。
【請求項１３】
ベースと前記ベースから上方向に延びるプランジャーロッドとを有するアセンブリジグを設け、
ガイドと前記ガイド内に位置するパンチと迅速解除メカニズムにより前記パンチに接続されたパンチドライバーと前記パンチドライバーに接続されたパンチヘッドとを有し、前記パンチヘッドはそこに設けられた軸方向孔部を有するパンチ工具アセンブリを設け、
前記パンチが前記パンチヘッドの上方に位置するようパンチ工具アセンブリを倒置させ、
前記パンチ工具アセンブリを前記ジグ上に設置し、前記設置工程は前記ジグの前記プランジャーロッドを前記パンチヘッドの前記孔部中へ挿入することをさらに含み、
前記パンチ工具アセンブリを前記ジグの前記ベース方向へ押圧して前記パンチを前記パンチドライバーから解除させることを特徴とするパンチ工具アセンブリのパンチの交換方法。
【外国語明細書】
2008087070.tif 000035
2008087070.tif 000036
2008087070.tif 000037
2008087070.tif 000038
2008087070.tif 000039
2008087070.tif 000040
2008087070.tif 000041
2008087070.tif 000042
2008087070.tif 000043
2008087070.tif 000044
2008087070.tif 000045
2008087070.tif 000046
2008087070.tif 000047
2008087070.tif 000048
2008087070.tif 000049
2008087070.tif 000050
2008087070.tif 000051
2008087070.tif 000052
2008087070.tif 000053
2008087070.tif 000054
2008087070.tif 000055
2008087070.tif 000056
2008087070.tif 000057
2008087070.tif 000058
2008087070.tif 000059
2008087070.tif 000060
2008087070.tif 000061
2008087070.tif 000062
2008087070.tif 000063
2008087070.tif 000064
2008087070.tif 000065
2008087070.tif 000066
2008087070.tif 000067
2008087070.tif 000068
2008087070.tif 000069
2008087070.tif 000070
2008087070.tif 000071
2008087070.tif 000072
2008087070.tif 000073
2008087070.tif 000074
2008087070.tif 000075
2008087070.tif 000076
2008087070.tif 000077
2008087070.tif 000078
2008087070.tif 000079
2008087070.tif 000080
2008087070.tif 000081
2008087070.tif 000082
2008087070.tif 000083
2008087070.tif 000084
2008087070.tif 000085
2008087070.tif 000086
2008087070.tif 000087
2008087070.tif 000088
2008087070.tif 000089